Podtech/llm-jp-corpus-v4-ja_patent huggingface dataset:
(57)【要約】      （修正有）【課題】廃棄物を処理する際の可燃性排気ガスを燃焼により煙、悪臭をクリアーする排気ガス燃焼装置である。【解決手段】磁気熱分解燻焼炉からの可燃性ガスの処理に当たり、インナーセラミックパイプ２内にシーズヒーター３を押入して８００℃に熱し、３６０度四方に熱放射してアウトセラミックパイプ１迄熱し、排気ガスがこのインナーセラミックパイプ２とアウトセラミックパイプ１間を通過する際にほぼ完全に無煙無臭として放出される。インナーセラミックパイプ２を一定温度に保つためにセンサー棒９をシーズヒーター３と一緒の処すなわちインナーセラミックパイプ２内に押入し、常に設定した温度を保持し排気ガスを確実に燃焼処理する。８００℃に温度設定するには、常にセンサー棒９からくる温度差をリアルタイムで表示するコントロールボックス１１により常に一定温度を自動的に検出しコントロールする。【選択図】図１
0003207497.tif 000002
【実用新案登録請求の範囲】
【請求項１】
シーズヒーターと温度センサー棒を押入したインナーセラミックパイプとその外側にアウトセラミックパイプを断熱材で囲い外板箱で固定し、一定の温度を保つ自動温度調節をセンサーでコントロールする排気ガス燃焼装置。
【考案の詳細な説明】
【技術分野】
【０００１】  本考案は有機廃棄物の磁気熱分解燻焼炉での燻焼による排気ガスの燃焼装置に関する物である。
【背景技術】
【０００２】  一般に有機物を焼却処分することで、どうしてもダイオキシンの有害ガスが発生しやすく又、プラスチック系の燃えにくいものが混ざることから不完全燃焼状態が発生しやすく、結果として悪臭や煙が発生される。この問題を対処するために第１図のような処理手段の燃焼装置で処分することができる。
【考案の開示】
【考案が解決しようとする課題】
【０００３】  可燃ゴミの熱処理によるダイオキシン等の有害ガスの発生とその水分を蒸発させる処理を行うような熱による手段を用い、水分を含んだガス体の処理を容易に解決しようとするものである。
【課題を解決するための手段】
【０００４】  本考案は磁気熱分解燻焼炉から排煙導管及び水槽を経由した可燃ガスを燃焼装置を通して悪臭、煙を除きその後に外気に排出する。この燃焼装置においてはインナーセラミックパイプの中にシーズヒーターを設け３６０度四方アウトセラミックパイプに向かって熱を放射するとアウトセラミックパイプも加熱され、インナーセラミックパイプとアウトセラミックパイプの間に入ってくる可燃性ガスを燃焼処理することができる。
【考案の効果】
【００５】  従来、排気管内に直接シーズヒーターを取り付けて可燃性ガスを燃焼するため、管内に斑ができるのとシーズヒーターが損傷しやすく、交換の手間やランニングコストがかさむ割に効果があまりない。本考案はシーズヒーターが直接可燃性ガスに当らず、インナーセラミックパイプ内に押入してこのインナーセラミックパイプを８００℃以上に加熱し、３６０度四方から輻射熱を発するのでアウトセラミックパイプも加熱することができるのでこの間を通過する可燃性ガスは完全燃焼する。また、熱効率が良いため消費電力を抑えることができる。
【考案を実施するための最良の形態】
【０００６】  第１図に示すように、煙及びダイオキシン類は通常８００℃以上あれば燃焼処理される。尚インナーセラミックパイプ内に温度センサー棒を押入し、これを自動温度調節装置を持つコントローラーボックスにつなぎ、常に一定の温度を保つようにした装置で最良の状態で処理できる。
【実施例】
【０００７】  以下添付図面に従って実施例を説明する。
１は耐久性抜群のアウトセラミックパイプ
２はシーズヒーター３及びセンサー棒９が押入しているインナーセラミックパイプ
３はシーズヒーターで、インナーセラミックパイプ２を熱しその熱放射でアウトセラミックパイプ１迄熱する。
４は断熱材でアウトセラミックパイプ１の放熱を防止する。
５は外板箱で断熱材４を囲み一体化して支える。【０００８】  インナーセラミックパイプ２を一定温度に保つためにセンサー棒９をシーズヒーター３と一緒の処すなわちインナーセラミックパイプ２内に押入し、常に設定した温度を保持し排気ガスを確実に燃焼処理する。【０００９】  仮に８００℃に温度設定するには、常にセンサー棒９からくる温度差をリアルタイムで表示するコントロールボックス１１により常に一定温度を自動的に検出しコントロールする。【００１０】  本考案の一実施例は上述の如き構成からなるものであるから、可燃ガス燃焼装置を一体物にまとめ、燻焼炉からくる排気ガスを排煙導管６及び水槽７を経由して誘導し、燃焼装置へ導き無煙無臭として放出する。
【図面の簡単な説明】
【００１１】
【図１】  本考案の排気ガス燃焼装置の一実施例を示す断面図である。
【符号の説明】
【００１２】  １    アウトセラミックパイプ
２    インナーセラミックパイプ
３    シーズヒーター
４    断熱材
５    外板箱
６    排煙導管
７    水槽
８    保護パイプ
９    センサー棒
１０  シーズヒーター線
１１  コントロールボックス（温度調節器）
１２  コンセントコード
【図１】
0003207497.tif 000003
(57)【要約】      （修正有）【課題】建屋が揺れて倒壊しても、倒壊してきた屋根や天井、梁、等にも耐える丈夫な避難部屋を有する建屋を提供する。【解決手段】建屋の内部の避難部屋は、建屋と連絡しない独立した部屋であり、丈夫な鋼材が使われている、四面とも同じ構造からなり、出入り口ドアー４、窓５、ベント６又天井、壁１、床２等の囲い、そして基礎１０、硬質ゴムパッキン１１、平鉄板、半円形具、ボール等の組み合わせで出来ている。【選択図】図１
0003207498.tif 000002
【実用新案登録請求の範囲】
【請求項１】
地震による大きな揺れで、建屋が倒壊することを想定し、その建屋の中の一部屋をほとんど揺れの無い部屋に改造リフオームして、安心して暮らせることを特徴とした部屋。
【考案の詳細な説明】
【技術分野】
【考案の詳細な説明】
【０００１】  地震国日本の耐震住宅はここ数年前からで、それ以前の建屋（木造、鉄骨、鉄筋）等には耐震設備が整っていない。
【背景技術】
【０００２】  震度の強い揺れで、被災地の建屋が倒壊し、その瓦礫の中から怪我をした人が救出されたり、尊い命が失われてゆくのをその都度報道等で知る。
【考案の開示】
【考案が解決しようとする課題】
【０００３】  震度の強い揺れで、建屋が倒壊することを始めから想定して、その時の為に、建屋内部の一部屋を改造リフォームして、強い揺れをほとんど感じない構造と、丈夫な軽量鋼材を壁、床、天井等に用いた、倒壊に関わりの無い安全な一部屋にするのである。
【課題を解決するための手段】
【０００４】  安全な一部屋にするには、
（ａ）建屋の基礎と新たに設ける一部屋の基礎を分離して、地震による揺れを、別々にするのである。
（ｂ）一部屋の基礎と基礎との床下面にボールを載せる半円形具を取り付け、その半円形具に載せたボール上辺と一部屋の床を兼ねた鋼板下部面とが接するようにすることにより建屋が揺れてもボールの回転が揺れを吸収するので一部屋は揺れない。
【考案の効果】
【０００５】  震度の強い揺れで建屋が倒壊しても、その一部屋は、ほとんど揺れがなく、建屋の屋根、壁、梁等が被さってきても、その部屋は強度な鋼材で出来ているために壊れることも無く安全な部屋と考えられる。又、万一地震が何時襲ってきても、一部屋に避難したり、日頃から利用している事により安心した生活を過ごす事が出来るのである。
【考案を実施するための最良の形態】
【０００６】  ［図１］に示すように、建屋の内部の一部屋は、建屋と連絡しない独立した部屋であり、丈夫な鋼材が使われている、四面とも同じ構造からなり、出入り口ドアー、窓、ベント又天井、壁、床等の囲い、そして基礎、硬質ゴムパッキン、平鉄板、半円形具、ボール等の組み合わせで出来ている。【０００７】  日常生活の中で、一部屋を利用する場合、床の鋼板とボール上辺が接しているだけで他に固定されていない為、多少の部屋の動きが感じられると思われるので、基礎の上部に硬質ゴムパッキンを設けて床の鋼板をその硬質ゴムパッキン上に乗せることにより鋼板とボール上辺がパッキンの厚み分床が浮くので部屋の動きがないと思われる。【０００８】  震度の強い揺れで一部屋が揺れ始めたときに、硬質ゴムパッキンが基礎から外れて、その時に初めて床の鋼板とボール上辺が接するので、通常の日常生活はに支障がない。【０００９】  地震の後、津波が襲って来たときに家ごと流されたとしても、一部屋は強度な鋼材で出来ていて、内側からそのドアーや窓を閉めることにより気密性のある部屋になり、水の上に浮かび上がり津波から一時的に逃れる事が出来又どの面が上部になるか分からない為、各面に開閉ベントを設けて空気を取り入れが出来る様にする。【００１０】  一部屋が津波で流されているとき、室中での避難者は上下左右身体が回転することも考えられるので、天井には吊革や壁には手摺り等を設けて身体が揺れてもそれに掴っていればやがて落ち着くと思われる。【００１１】  一部屋に避難する場合、揺れにより内部に置いてある物が倒れたり横滑りしたりして危害を与える危険物は、避難用室の為置かないほうがよい。【００１２】  一部屋の避難人数は、畳一枚で四人は座れる又立っていれば十人は可能と思われるので家族構成で一部屋の大きさを考えればよい。
【実施例】
【００１３】［図１］一部屋をここで説明する。
一部屋の大きさによっては、重量が増えると思われるので、半円形具やボールの大きさ又数を一つ二つ三つと増やすことも考慮する必要がある。
【図面の簡単な説明】
【００１４】
【図１】本考案の、実施形態を示す  （１）建屋と内部に設けた一部屋の側面図  （２）一部屋の拡大側面図  （３）ボール側面図  （４）半円形具断面図  （５）半円形具平面図  （６）一部屋の床下断面図
【符号の説明】１    壁
２    床
３    天井
４    ドアー
４−１  ドアーノブ
５    窓
６    ベント
７    半円形具
８    ボール
９    土間
１０  基礎
１１  硬質パッキン
【図１】
0003207498.tif 000003
【手続補正書】
【提出日】平成28年7月13日(2016.7.13)
【手続補正１】
【補正対象書類名】実用新案登録請求の範囲
【補正対象項目名】全文
【補正方法】変更
【補正の内容】
【実用新案登録請求の範囲】
【請求項１】
建屋の内部一部屋を丈夫な鋼材を用いた構造にして地震や津波が襲ってきても被害のない安心した避難部屋を有する建屋。
(57)【要約】      （修正有）【課題】立体感を有するフェイクネイル装飾部を形成した５本指ストッキングを提供する。【解決手段】この考案のストッキングは、足の爪先から踵及び足首にいたる部分を包む足部１０と、この足部１０から連続する筒状の脚部２０を備え、前記足部１０の先端部には、袋状の第１指部１１〜第５指部１５が形成され、これらの指部の表面にフェイク装飾部２１〜２５がそれぞれ設けられている。これらのフェイク装飾部は、断面がほぼ台形で厚みが約０．５ｍｍ〜約１．０ｍｍに形成されている。【選択図】図１
0003207456.tif 000002
【実用新案登録請求の範囲】
【請求項１】
足部と、この足部に連続する脚部を備え、足部の爪先に５本の袋状指部が設けられ、足の爪に対応する前記指部の表面にフェイク装飾部がそれぞれ設けられたストッキングにおいて、前記フェイク装飾部は前記指部の表面に直接付着された厚さ約０．５ｍｍ〜約１．０ｍｍの可撓性合成樹脂層より成り、その断面がほぼ台形で全周縁が下降する斜面を形成したことを特徴とする５本指ストッキング。
【請求項２】
前記可撓性合成樹脂層がシリコーン樹脂によって形成された請求項１に記載の５本指ストッキング。
【請求項３】
前記フェイク装飾部が光沢を有する請求項１または２に記載の５本指ストッキング。
【考案の詳細な説明】
【技術分野】
【０００１】
この考案は、ペディキュア風装飾部を備えた５本指ストッキングに関する。
【背景技術】
【０００２】
特許文献１には、ストッキング爪先部の爪に対応する位置にペディキュアのような装飾を施したストッキングが開示されている。しかしながら、この文献には、ペディキュアの模様や色彩をどのような技術的手段によってストッキングの表面に施すのかについては何の記載もない。
【０００３】
一方、５本指ストッキングの指部外面に、フェイクネイル（ｆａｋｅ  ｎａｉｌ）と称されるペディキュア風の印刷を施したり、シールを貼り付けたものが既に市販されている。これはバラエティに富むフェイクネイルを提供することはできるが、立体感に乏しい問題がある。
【先行技術文献】
【特許文献】
【０００４】
【特許文献１】実用新案登録第３０５７９５６号公報
【考案の概要】
【考案が解決しようとする課題】
【０００５】
そこで、この考案の課題は、５本指ストッキングに立体感を有するフェイクネイル装飾部を形成することである。
【課題を解決するための手段】
【０００６】
上記の課題を解決するために、この考案は、足部と、この足部に連続する脚部を備え、足部の爪先に５本の袋状指部が設けられ、足の爪に対応する前記指部の表面にフェイク装飾部がそれぞれ設けられたストッキングにおいて、前記フェイク装飾部は前記指部の表面に直接付着された厚さ約０．５ｍｍ〜約１．０ｍｍの可撓性合成樹脂層より成り、その断面がほぼ台形で全周縁が下降する斜面を形成するようにしたのである。
【０００７】
前記可撓性合成樹脂層をシリコーン樹脂によって形成するのが好ましい。またその表面に光沢を持たせるのがよい。
【考案の効果】
【０００８】
この考案によれば、以上のように、フェイク装飾部の厚みを通常の印刷やシールよりも厚くし、かつ断面をほぼ台形として全周縁を斜面としたので、ジェルネイルのような自然な立体感が現れる効果がある。
【図面の簡単な説明】
【０００９】
【図１】足部に型紙を挿入した状態を示すストッキングの平面図、
【図２】同上の指先部の拡大縦断面図、
【図３】ストッキングを着装した足部の斜視図である。
【考案を実施するための形態】
【００１０】
以下、この考案の実施形態を添付図面に基づいて説明する。図１及び図２は、ストッキングの足部に型紙Ｍを挿入した状態を示す。図示のように、この考案のストッキングは、足の爪先から踵及び足首にいたる部分を包む足部１０と、この足部１０から連続する筒状の脚部２０を備え、爪先には、足の第１趾に対応する袋状の第１指部１１、第２趾に対応する袋状の第２指部１２、第３趾に対応する袋状の第３指部１３、第４趾に対応する袋状の第４指部１４、第５趾に対応する袋状の第５指部１５が形成されている。そして、第１指部１１から第５指部１５には、足指の爪に対応する表面に、ペディキュア風のフェイク装飾部２１〜２５が設けられている。
【００１１】
前記フェイク装飾部２１〜２５（以下装飾部２１で代表する）は、可撓性合成樹脂を指部１１〜１５に直接付着して形成される。その平面形状は、爪とほぼ相似形であって、厚さ（高さ）Ｔが約０．５ｍｍ〜約１．０ｍｍ、厚さ方向の断面がほぼ台形をなし、外周縁全周方向にゆるく傾斜する斜面２１ａが形成されている。形成方法は、例えば溶融したシリコーン樹脂を袋状指部に印刷技術等によって直接塗布し、そのまま固化させることによって表面に光沢を現出させる。勿論シリコーン樹脂に予め顔料等の着色料や光沢剤等を混合しておくことができる。このようにすると、極めて光沢の良い立体感のあるフェイク装飾部２１が得られる。
【００１２】
このストッキングは、ナイロン（商品名）糸とスパンデックス（商品名）糸を編成した伸縮性が大きく薄い透視性生地から成るものが好ましいが、これに限定されない。また、ここに云うストッキングは、ショートストッキング、ロングストッキング、パンティストッキング、ハイソックス、ソックス、タイツ等を含む。
【００１３】
図３は、この考案のストッキングを足Ｆに装着した状態を示す。前記のようにストッキングが伸縮性の良好な生地から形成されていると、足の第１趾〜第５趾を対応する袋状第１指部１１〜第５指部１５に挿入して、その表面に形成されたフェイク装飾部２１〜２５を、第１趾〜第５趾の爪Ｎ１〜Ｎ５の位置にほぼ合致するように、袋状指部１１〜１５及び足部１０全体の伸縮によって調整することができる。そして図示のように、爪Ｎ１〜Ｎ５の位置にフェイク装飾部２１〜２５が合致すると、あたかも爪に直接ペディキュアを施したように見える。このとき、前述のようにフェイク装飾部２１〜２５は、ほどよい厚みとその全周縁部が下降する斜面になっているので、自然な立体感を現出し、かつ良好な光沢を有するように形成されているので、外観的に極めて優れている。
【符号の説明】
【００１４】
１０  ストッキングの足部
１１〜１５  ストッキングの袋状指部
２０  ストッキングの脚部
２１〜２５  フェイク装飾部
２１ａ  斜面
Ｆ  足
Ｍ  型紙
Ｎ１〜Ｎ５  爪
Ｔ  厚さ
【図１】
0003207456.tif 000003
【図２】
0003207456.tif 000004
【図３】
0003207456.tif 000005
(57)【要約】【課題】簡単な構造で身体不自由者にとっても効率よく健康増進を図ることができる健康器具を提供する。【解決手段】健康器具１は、内部にエア又は発泡スチロール又は微粒子材料又は繊維物が充填されて可撓性を有するバランスボール２と、平面視にてバランスボール２を囲繞して床面から鉛直方向に立設されている柵体３と、該柵体３の上縁として連続又は断続して形成されている把持部４と、バランスボール２と柵体３との間が離間することで形成され、バランスボール２に座った使用者８の足下部分が配されるべき使用者空間７とを備えている。【選択図】        図１
0003207452.tif 000002
【実用新案登録請求の範囲】
【請求項１】
内部にエア又は発泡スチロール又は微粒子材料又は繊維物が充填されて可撓性を有するバランスボールと、
平面視にて前記バランスボールを囲繞して床面から鉛直方向に立設されている柵体と、
該柵体の上縁として連続又は断続して形成されている把持部と、
前記バランスボールと前記柵体との間が離間することで形成され、前記バランスボールに座った使用者の足下部分が配されるべき使用者空間とを備えたことを特徴とする健康器具。
【考案の詳細な説明】
【技術分野】
【０００１】
本考案は、身体障害者や一部の高齢者等の身体不自由者に対しても好適に利用できる健康器具に関するものである。
【背景技術】
【０００２】
バランスボールという健康器具が知られている。このバランスボールは中空の球体であり、内部がエアで満たされているため使用者がこれに座ることで幾分撓むため、バランスを取ることで健康を増進させるものである。初心者はこのバランスが取りにくいため、バランスボールが転がらないような工夫もされている（例えば特許文献１参照）。
【０００３】
しかしながら、身体不自由者にとってはバランスボール自体が転がらないような工夫がされていたとしても、これを取り扱うことは困難である。また、バランスボールに転がり防止機能を備えてしまうと、肝心なバランスを取って健康を増進させるという目的から相反してしまう。
【先行技術文献】
【特許文献】
【０００４】
【特許文献１】実用新案登録第３１０５９２３号公報
【考案の概要】
【考案が解決しようとする課題】
【０００５】
本考案は、上記従来技術を考慮したものであり、簡単な構造で身体不自由者にとっても効率よく健康増進を図ることができる健康器具を提供することを目的とする。
【課題を解決するための手段】
【０００６】
前記目的を達成するため、本考案では、内部にエア又は発泡スチロール又は微粒子材料又は繊維物が充填されて可撓性を有するバランスボールと、平面視にて前記バランスボールを囲繞して床面から鉛直方向に立設されている柵体と、該柵体の上縁として連続又は断続して形成されている把持部と、前記バランスボールと前記柵体との間が離間することで形成され、前記バランスボールに座った使用者の足下部分が配されるべき使用者空間とを備えたことを特徴とする健康器具を提供する。
【考案の効果】
【０００７】
本考案によれば、バランスボールと柵体との間に使用者空間が形成されている。このため、使用者は使用者空間に足下を収めながら、把持部を把持してバランスボールに座りながらバランスを取ることができる。また、使用者にとって体幹への作用が大きく、バランス感覚と動作訓練（俊敏性等）の訓練を同時に行うことができる。
【図面の簡単な説明】
【０００８】
【図１】本考案に係る健康器具の使用例を示す概略斜視図である。
【図２】本考案に係る健康器具の概略平面視図である。
【図３】本考案に係る健康器具の概略側面図である。
【考案を実施するための形態】
【０００９】
図１〜図３に示すように、本考案に係る健康器具１は、略球形状のバランスボール２を備えている。このバランスボール２は人が腰掛けるものであり、従って体重がかかるとある程度撓む、いわゆる可撓性を有している。この可撓性を実現するため、バランスボール２内にはエアや発泡スチロール、あるいは微粒子材料や綿などの繊維物が充填されている。なお、人が腰掛けられる形状であればバランスボール２は球形状に限らず、座面が平たくなるような形状でもよい（略直方体形状や略円柱形状）。通常販売されているバランスボールはこれのみで成立し、これに使用者が腰掛けてバランスを取ることで健康を増進できる。しかし身体障害者や一部の高齢者、あるいはスポーツ等で怪我をした人等の身体不自由者が使用者となる場合、このバランスボールだけで健康を増進することは困難である。
【００１０】
そこで本考案に係る健康器具１には、さらに柵体３が備わっている。図の例では柵体３は上下に円環形状の把持部４及び土台５を有し、これら把持部４と土台５は複数本の連結具６にて連結されている。すなわち、土台５はバランスボール２を囲繞するように載置され、ここから鉛直方向に連結具６が延びていて（立設されていて）、この連結具６に把持部４が支持されている。把持部４も土台５も同型の円環形状を有している。したがって、柵体３全体としてバランスボール２を囲繞している。前述したように、把持部４は連続して形成された円環形状を有し、柵体３の上縁として形成されている。なお、把持部４は剛性を有する板材で形成してもよいし、ロープなどの紐を利用して形成してもよい。また、この把持部４は断続的に柵体３の上縁として設けられていてもよい。要は、使用者８がバランスボール２に座ったときに把持できる程度の幅があればよい。
【００１１】
柵体３内にバランスボール２を配した際、バランスボール２と柵体３とは離間している。この離間した空間は使用者空間７として形成されている。バランスボール２に使用者８が座ると、使用者の足下はこの使用者空間７に収まる。このように安定してバランスボール２に座るためにこの使用者空間７が必要である。使用者８はバランスボール２に座した際にこの使用者空間７内に足下を配しながら、手で把持部４を掴み、バランスをとって健康を増進する。また、健康器具１は一人用でもよいし、複数の使用者が同時に使用することも可能である。このため、複数人のコミュニケーションツールとしても用いることができる。さらに、複数人で同時に使用すれば、使用者を介護する介護職員にとっても効率がよく、職員の生産性に寄与できる。また、介護職員にとっては介護職に対する自覚や誇りの一助となる。
【符号の説明】
【００１２】
１：健康器具、２：バランスボール、３：柵体、４：把持部、５：土台、６：連結具、７：使用者空間、８：使用者
【図１】
0003207452.tif 000003
【図２】
0003207452.tif 000004
【図３】
0003207452.tif 000005
(57)【要約】      （修正有）【課題】バラなどの切花の花首に指輪を装着し、指輪が切花から容易に外れない形状で一体化した装飾品にすることにより互いの魅力をさらに高めたバラ生花装飾品を提供する。【解決手段】バラ生花の花首４と第１枝葉２との間にリング状装飾物３を挿入したバラ生花装飾品において、第１枝葉２の伸びる角度が、正面視で、水平〜４５°の上向きに栽培されている。【選択図】図１
0003207425.tif 000002
【実用新案登録請求の範囲】
【請求項１】
バラ生花の花首と第１枝葉との間にリング状装飾物を挿入したバラ生花装飾品において、第１枝葉の伸びる角度が、正面視で、水平〜４５°の上向きに栽培されていることを特徴とするバラ生花装飾品。
【請求項２】
リング状装飾物が指輪、イヤリング、硬貨の１種または複数であることを特徴とする請求項１に記載のバラ生花装飾品。
【考案の詳細な説明】
【技術分野】
【０００１】
本考案は、バラなどの花卉の花軸に指輪のようなリング状装飾品を装着した
バラ生花装飾品に関するものである。
【背景技術】
【０００２】
従来、バラなどの花卉は、それを単体または他の種類の花と組み合わせた装飾品であり、指輪と一体化させた装飾品はない。指輪についても同様に、一般に指輪単体での装飾品であり、花と一体化させたバラ生花装飾品はない。
バラの花は、結婚式や誕生日、祝日などにプレゼントとして多く用いられている。
こうしたプレゼントの際に、贈り主が、数か月前から準備した花であれば、受け取る側のサプライズ感や喜びはいっそう増すと思われる。
【０００３】
先行技術には、バラの花首に指輪を装着した装飾品が示されているが、その作り方が開示されておらず、例えば指輪の一旦を開設して生育したバラにはめ込んだ後に接着したものとも解される。
【０００４】
生育中のバラなどの花卉は、茎及び第一枝葉が柔らかいため、蕾が小さいうちに通常の指輪を茎に入れると、茎や蕾の生育が不良となって開花しなかったり、指輪の重みで、第一枝葉が水平より下方へ曲がるため審美性が低下し、バラ生花の商品価値を損なうという問題点があった。
【先行技術文献】
【特許文献】
【０００５】
【特許文献１】実用新案登録第３１２８８５８号
【考案の概要】
【考案が解決しようとする課題】
【０００６】
本考案の目的は、バラなどの花卉の花軸に指輪のようなリング状装飾品を装着したにもかかわらず、第１枝葉が水平より上向きに栽培された、審美性に優れたバラ生花装飾品を提供することにある。
【課題を解決するための手段】
【０００７】
本考案は、バラ生花の花首と第１枝葉との間にリング状装飾物を挿入したバラ生花装飾品において、第１枝葉の伸びる角度が、正面視で、水平〜４５度の上向きに栽培されていることを特徴とするバラ生花装飾品である。
【考案の効果】
【０００８】
本考案によれば、バラなどの花卉の花首に指輪のようなリング状装飾品を装着した、審美性に優れたバラ生花装飾品を提供することが可能となる。
【図面の簡単な説明】
【０００９】
【図１】本考案である、指輪が一体化したバラ生花装飾品を示す図である。
【図２】本考案の指輪と一体化したバラ生花装飾品の育成過程を示す図である。
【図３】本考案の指輪と一体化したバラ生花装飾品の育成方法を示す図である。
【図４】本考案の、第１枝葉の伸びる角度を示す図である。
【図５】本考案によらない、バラ生花装飾品を示す図である。
【考案を実施するための形態】
【００１０】
本考案は、バラ生花の花首と第１枝葉との間にリング状装飾物を挿入したバラ生花装飾品において、第１枝葉の伸びる角度が、正面視で、水平〜４５度の上向きに栽培されていることを特徴とするバラ生花装飾品である。
【実施例】
【００１１】
以下、実施例をもって本考案と、その育成方法について説明する。
本考案においては、バラ生花の蕾１と第１枝葉２の間の花首４にリング状装飾物３が挿入されている。
本考案に用いるリング状装飾物としては、指輪、イヤリング、硬貨などのように、全周が閉鎖されたリング状物であれば、その形状は特に限定されず円形、楕円形、三角形であってもよい。
装飾性から、一般には指輪が用いられる。
本考案においては、バラ生花の蕾１と第１枝葉２との間の花首４に、リング状装飾物３を挿入したバラ生花装飾品において、第１枝葉２の伸びる角度が、正面視で、水平〜４５度の上向きであることが必要である。
図４に、第１枝葉の伸びる角度が、水平〜４５度上向きの様子を示す。
第１枝葉２の伸びる角度が４５度を超えると、外観が不自然となり、審美性が損なわれる。
比較例に示すように、第１枝葉２の伸びる角度が、図６に示すごとく、正面視で水平より下方であると、祝い事などのように縁起を重んじる場合に、審美性が損なわれる。
【００１２】
本発明のバラ生花装飾品の育成方法は、バラの苗の近傍にフラワーネット又は支柱を有する吊設材５を配設する工程と、１乃至複数の紐状部６と前記紐状部の一端部に前記吊設材５に係止する係止具７と、他端部にリングを係着させて吊設具８を準備する吊設具準備工程と、前記吊設材に前記係止具を前記バラの苗が蕾１を付けたときに前記蕾１を前記リング３の中を通して前記蕾１の萼と第１枝葉３の間に前記リング３を配設するリング配設工程と、前記バラの成長に合わせて前記吊設具８で前記リングが前記第１枝葉３に当らない位置に前記吊設具で前記リングを吊り上げ保持するリング調整工程と、を備えた花軸にリングを備えたバラの育成方法である。
【００１３】
以下、図を用いて、本考案のバラ生花装飾品の育成方法を説明する。
本考案では、図２に示すバラの苗が蕾１を付けたときに、蕾１をリング３の中を通して蕾１の萼と第１枝葉２の間の花首４に、リング３が第１枝葉２に当らない位置に吊設材５でリング３を吊り上げ保持する。
リング３は、バラの成長に合わせて、リング３が第１枝葉２に当らないように紐状部６の長さを調整する。
係る育成方法を採用することで、図１に示すような、第１枝葉の伸びる角度が、正面視で、水平〜４５度の上向きに栽培されたバラ生花装飾品を得ることが可能である。
【比較例】
【００１４】
吊設具８をことなく、リング３を蕾１と第１枝葉２の間に入れたまま生育した場合には、図５に示すように、第１枝葉２がリング３の重みにより正面視で水平より下向きになってしまい、バラ生花審美性が損なわれる。
【産業上の利用可能性】
【００１５】
本考案によれば、切花と指輪の互いの魅力を高めた新たな装飾品を提供できる。
【符号の説明】
【００１６】
１  蕾
２  第１枝葉
３  リング
４  花首
５  吊設材
６  紐状部
７  係止具
８  吊設具
【図１】
0003207425.tif 000003
【図２】
0003207425.tif 000004
【図３】
0003207425.tif 000005
【図４】
0003207425.tif 000006
【図５】
0003207425.tif 000007
(57)【要約】【課題】医師、看護師など医療現場で働く作業者が、色彩感覚で判別でき、磁気影響を受けない、構造が簡単で安全性の高い特種色彩を施したＭＲＩ対応医療ワゴンの提供。【解決手段】物を載置する天板５と、自在滑車を有する脚体部材１と、前記天板５と前記脚体部材１を支持する支柱部材３と、前記支柱部材３に配設される着脱自在のトレーを支持するトレー支持枠部体の構成部材より成るワゴン本体であって、すべての構成部材は非磁性体材料で形成されると共に、天板を除き、上記構成部材を構成する一以上の各部材の色彩を、予め非磁性色と定めた色彩と同一とすることを特徴とする特種色彩を施したＭＲＩ対応医療ワゴン。【選択図】図１
0003207442.tif 000002
【実用新案登録請求の範囲】
【請求項１】
物を載置する天板と、自在滑車を有する脚体部材と、前記天板と前記脚体部材を支持する支柱部材と、前記支柱部材に配設される着脱自在のトレーを支持するトレー支持枠部体の構成部材より成るワゴン本体であって、すべての構成部材は非磁性体材料で形成されると共に、天板を除き、上記構成部材を構成する一以上の各部材の色彩を、予め非磁性色と定めた色彩と同一とすることを特徴とする特種色彩を施したＭＲＩ対応医療ワゴン。
【請求項２】
非磁性色として緑色系と特定することを特徴とする請求項１記載の特種色彩を施したＭＲＩ対応医療ワゴン。
【考案の詳細な説明】
【技術分野】
【０００１】
本考案は、ＭＲＩ検査に対応して、安全に使用できる非磁性構造体で構成され、特種色彩を施したＭＲＩ対応医療ワゴンに関する。
【背景技術】
【０００２】
一般にＭＲＩ（Ｍａｇｎｅｔｉｃ  Ｒｅｓｏｎａｎｓｅ  Ｉｍａｇｉｎｇ）医療機器は、使用に際し強力な漏洩磁力が発生し、磁性金属で構成された机、椅子、ワゴンなどが不用意に移動して、ＭＲＩ診療機に吸着し、予期せぬ災害が生ずることが分かっている。そのため、非磁性材料で構成した机や椅子やワゴンなどが知られている（例えば特許文献１，２参照）。
【先行技術文献】
【特許文献】
【０００３】
【特許文献１】実開平２−５１５０９号公報
【特許文献２】特開２０１４−１８３９５７号公報
【考案の概要】
【考案が解決しようとする課題】
【０００４】
前記特許文献１及び２は、何れも構成部材がアルミニウムなどの非磁性金属材料又はプラスチック材であり、確かに非磁性材料であるため、安全、安心してＭＩＲ医療用の器具として用いることが可能であるが、一見して非磁性材料であることが認識できないという問題がある。そして、何人も、直ちに非磁性材料で構成された医療用機器として認めることはできないという不都合がある。さらに、構造が複雑であり、安価、量産に製作できないという問題がある。
【０００５】
本考案は叙上の点に着目して成されたもので、何人も直ちにＭＲＩ医療機器での使用が可能であることが判別できると共に、構造の簡単な器具、ワゴンであることが識別できるようにした道具を提供することを目的とする。
【課題を解決するための手段】
【０００６】
この考案は下記の構成を備えることにより上記課題を解決できるものである。
【０００７】
（１）物を載置する天板と、自在滑車を有する脚体部材と、前記天板と前記脚体部材を支持する支柱部材と、前記支柱部材に配設される着脱自在のトレーを支持するトレー支持枠部体の構成部材より成るワゴン本体であって、すべての構成部材は非磁性体材料で形成されると共に、天板を除き、上記構成部材を構成する一以上の各部材の色彩を、予め非磁性色と定めた色彩と同一とすることを特徴とする特種色彩を施したＭＲＩ対応医療ワゴン。
【０００８】
（２）非磁性色として緑色系と特定することを特徴とする前記（１）記載の特種色彩を施したＭＲＩ対応医療ワゴン。
【考案の効果】
【０００９】
本考案によれば、構造組成のすべての部材及び部分材は、非磁性材料で形成され、一部又は必要数の部材は予め定めた特種色彩、例えば緑色系の色彩を施してあるので、ＭＲＩ検査に対応する医師、看護師など、現場で働く関係者は、一見して他の普通のワゴンと間違う虞がないと共に、構造が簡単で安価に提供できるという効果がある。
【図面の簡単な説明】
【００１０】
【図１】本考案に係る特種色彩を施したＭＲＩ対応医療ワゴンの一実施例を示す斜視図
【図２】図１のトレーを取り外した状態の斜視図
【図３】図１の正面図
【図４】図３のＡ−Ａ線断面図
【図５】図３のＢ−Ｂ線断面図
【図６】図１に示すワゴンの天板の取付け状態を示す天板を分離させた状態の要部拡大斜視図
【考案を実施するための形態】
【００１１】
以下本考案実施するための最良の形態を、実施例により詳しく説明する。
【実施例】
【００１２】
以下に、本考案の一実施例を図面と共に説明する。
【００１３】
１は、非磁性材料で構成された脚体部材であって、前後に２個の自在滑車２を配設した左右一対の支脚片３，３と、間隔片４とを備える。５は、物など載置する天板であって、非磁性材料のプラスチックで成形される。６は、前記脚体部材１と、前記天板５を支持する非磁性材料で形成された支柱部材であって、左右一対のパイプ製の支柱部品７，７で構成され、下部８，８は、脚体部材１の一対の前記支脚片３，３と溶接手段で固着させてあり、上部９，９は、垂直な支柱部品７，７に対して水平に曲折して間隔片１０を溶接で固着し、さらにＵ字杆１１を間隔片１０上に載置し溶着して、この間隔片１０上に天板５を載置し、ビス止め固着するものである。
【００１４】
具体的には、天板５の下部に非磁性の螺子孔ビス１２を埋設し、間隔片１０上に配設されるＵ字杆１１の対応箇所に穿孔し、亜鉛製のビス１３を螺合させて天板５を確実に固着するものである（図６参照）。なお、間隔片１０、Ｕ字杆１１は、いずれも非磁性材料であると共に、符号１４は溶接箇所を示す。
【００１５】
図中、市松模様の表示部は、特種色彩Ｘを塗布したもので、構成部材のすべてに彩色せず、限られた部材の一部又は全部に塗布させるものである。この特種色彩Ｘは、飽くまで非磁性材料で構成されたワゴンを示すものであるから、医師、看護師を始め、すべての作業者が直感をもって認識でき、ＭＲＩ検査時に色彩カラーを確認するだけでＭＲＩ用ワゴンであることを認識でき、安全を確保して医療業務が遂行できる。そして、特種色彩Ｘは、何等特定されないが、赤色系、黄色系はいずれも交通信号の「停止」「危険」を想定されるので、排除するのが好ましく、自然環境をイメージできる緑色系とするので好ましい。
【符号の説明】
【００１６】
１    脚体部材
２    自在滑車
３    支脚片
４    間隔片
５    天板
６    支柱部材
７    支柱部品
８    下部
９    上部
１０  間隔片
１１  Ｕ字杆
１２  螺子孔ビス
１３  亜鉛製のビス
１４  溶接箇所
Ｘ    特種色彩
【図１】
0003207442.tif 000003
【図２】
0003207442.tif 000004
【図３】
0003207442.tif 000005
【図４】
0003207442.tif 000006
【図５】
0003207442.tif 000007
【図６】
0003207442.tif 000008
(57)【要約】      （修正有）【課題】素早くコマセを収納でき、手返しの早さを向上可能なコマセ籠を提供する。【解決手段】釣り糸Ｌに取り付けられるコマセ籠１は、収容したコマセを水中で沈ませ、釣り糸Ｌに一端が取り付けられ、一端側に錘１１が取り付けられ、他端側に浮き１２が取り付けられている軸部１０と、軸部の浮と錘の間に取り付けられ、軸部の一端側が開放したドーム形状に形成され、内部にコマセが収容される収容部２０と、を備える。【選択図】図１
0003207475.tif 000002
【実用新案登録請求の範囲】
【請求項１】
釣り糸に取り付けられ、収容したコマセを水中で沈ませるコマセ籠であって、釣り糸に一端が取り付けられ、一端側に錘が取り付けられている軸部と、軸部の多端側に取り付けられており、軸部の一端側が開放したドーム形状に形成されており、内部にコマセが収容され、浮力を有する収容部と、を備えるコマセ籠。
【考案の詳細な説明】
【技術分野】
【０００１】
釣り糸に取り付けられ、収納したコマセを水中で沈ませるコマセ籠に関する。
【背景技術】
【０００２】
特許文献１には、有底部と開口部を有する袋状態に収納部を形成し、有底部の中央に挿通孔を，挿通孔の周囲に空気孔を各々形成し、さらに挿通孔を介した袋状態の少なくとも内部側に，鈎素Hの他方端と先糸S、又は道糸Lとの接続部位が挿通孔から抜け出すことを防止する芯（抜出防止部材）を設け、袋状態の外部側に浮きを設けることができるようにした釣り用具が提案されている。
【先行技術文献】
【特許文献】
【０００３】
【特許文献１】実用新案登録第３１３８７５３号公報
【考案の概要】
【考案が解決しようとする課題】
【０００４】
しかしながら、特許文献１の釣り具は、釣り人が仕掛けを手繰り寄せ道糸を持った場合、収納部の開口部が下を向いてしまい、素早くコマセを収納部に入れることができないという問題あった。
【０００５】
本考案は、素早くコマセを収納することができ，手返しの早さを向上可能なコマセ籠を提供することができることを目的とする。
【課題を解決するための手段】
【０００６】
釣り糸に取り付けられ、収容したコマセを水中で沈ませるコマセ籠であって、釣り糸に一端が取り付けられ、一端側に錘が取り付けられている軸部と、軸部の多端側に取り付けられてり軸部の一端側が開放したドーム形状に形成されており、内部にマセが収容され、浮力を有する収納部と、を備えるコセ籠。
【考案の効果】
【０００７】
本考案によれば、素早くコマセを収納することができ、手返しの早さを向上可能なコマセ籠を提供できる。                                                
【図面の簡単な説明】
【０００８】
【図１】本考案の実状形態に係るコマセ籠を説明する図である。
【考案を実施するための形態】
【０００９】
コマセ籠１は、釣り糸Lに取り付けられ、収容したコマセを水中で沈ませ、釣り糸Lに一端が取り付けられ、一端側に錘１１が取り付けられており、他端側に浮き１２が取り付けられている軸部１０と、軸部１０の浮１２と錘１１の間に取り付けられており、軸部１０の一端側が開放したドーム形状に形成されており、内部にマセが収容される収容部２０と、を備える。
【００１０】
本実状形態のコマセ籠１は、従来のコマセ籠と浮を一体化したものである。コマセ籠と浮一体化したことにより、コマセと刺し餌を同調させることができる。コマセを入れる部分(収容部２０)を比較的小さくすることで、常に開放状態であることから、コマセの量が少なくて済みかつ手返しが良い。                                                      
【００１１】
コマセ籠１は、浮力のあるものをカップ状にしたもの、または、筒状のものに浮力のあるものを取り付け、中心に軸１０を取り付け先端に錘１１、および道糸を通す管（よりもどし等）を取り付け、浮力の部分に空気孔を開けたもので、通常又はコマセを入れた状態の時、開口部は上を向き仕掛けを投入し水面に着水後は錘１１により反転して刺し餌の上でこませが出ていく。
【符号の説明】
【００１２】
１    コマセ籠
１０    軸部
１１    錘
１２    浮
２０    収納部
２１    孔
【図１】
0003207475.tif 000003
(57)【要約】      （修正有）【課題】古紙リサイクルによって作られた強化ダンボール材の構造的弱点である紙巾方向の小口補強をすることで、多種多様な活用が可能となる化粧パネルを提供する。【解決手段】強化ダンボール材２の紙巾方向３の小口をＬ字アングル１で補強する。強化ダンボールの表面と流れ方向４の模様を活かし、本来の資質を損なうことなく素材の魅力を引き出すことができる。【選択図】図１
0003207333.tif 000002
【実用新案登録請求の範囲】
【請求項１】
圧縮力に弱いダンボール材の紙巾方向小口をＬ字アングル等で覆うことにより、多種多様な活用が可能な化粧パネルとさせる小口補強方法。
【考案の詳細な説明】
【技術分野】
【０００１】
本考案は、強化ダンボールの紙巾方向の小口補強に関する。
【背景技術】
【０００２】
強化ダンボールは、重量物の保護用梱包材として発案された古紙利用のリサイクル資源によるもの。この強化ダンボール材の弱点といえる部分に、補強を施すことで今迄に考えられなかった新たな活用への可能性を示す。贅沢なものでなくても快適で美しいという印象を与える素材として様々な活用幅を創出するための技術。
【０００３】
強化ダンボール材は、紙巾方向と流れ方向にそれぞれ違った形状の断面を有し、流れ方向の断面には波状模様が現れる。この波状の紙が二層三層と重なることで、圧縮力に対して強度を保っている。しかし、紙巾方向断面は流れ方向に現れた波状の紙が一枚の面として現れるため、そのままでは圧縮力に対して弱く歪み潰れてしまう。
【０００４】
このようなことから、従来の活用法は物品の耐衝撃保護用梱包材としての活用が主となり意匠的には使い難いといった欠点がある。
【０００５】
先行技術文献として特許文献１は、一般的なダンボールを枠部材で覆い包み込む構成となっており、本来のダンボール周囲に厚みを与え、本来の形状を変えてしまうものである。
【０００６】
また、特許文献２は、補強金属板を一般的な一層ダンボールにより両面から挟み、三層構造とすることで室内間仕切り等に使用するというものだ。これはダンボールの軽くて扱い易という素材のメリットを損なってしまい素材の持つ長所を喪失させている。
【０００７】
ここで述べる素材の長所とは、流れ方向の波状模様や軽さ、丈夫さ、扱いやすさ、紙の持つ柔らかさなど古紙リサイクルによる素材が持つ豊かな表情である。
【先行技術文献】
【特許文献】
【０００８】
【特許文献１】特開平１０−３０４７９８９号公報
【特許文献２】実開平６−７１６４５号公報
【考案の概要】
【考案が解決しようとする課題】
【０００９】
本考案は、強化ダンボールが持つ素材の魅力である流れ方向の波状模様や軽さ、丈夫さ、扱いやすさ、紙の持つ柔らかさなどを際立たせ、幅広く活用させるために構造的弱点である紙巾方向の小口を補強する方法により、素材本来の資質を損なうことなくその魅力をさらに引き出し、強化ダンボール材を化粧パネルとして活用させるための方法提供を目的とする。
【課題を解決するための手段】
【００１０】
本考案は、上記目的を達成するために、強化ダンボールの弱点である紙巾方向の小口をＬ字アングルにより補強することで解決する。
【考案の効果】
【００１１】
本考案により、強化ダンボールが持つ魅力を引き出すことができ、今迄に考えられなかった強化ダンボールを使っての新しい活用法が生み出される事となる。よって、強化ダンボールの新たな在り方を示すことができる。
【図面の簡単な説明】
【００１２】
【図１】強化ダンボールとＬ字アングルによる化粧パネルの部分詳細図。
【図２】化粧パネルを活用した一例図。
【考案を実施するための形態】
【００１３】
本考案の実施形態として、強化ダンボールの紙巾方向小口を強化ダンボールの厚みより少し広い幅の一辺を持つＬ字アングルにより塞ぎ補強することからなる。
【００１４】
強化ダンボール材は、二層と三層のものがありそれぞれ厚みと強度に違いがあるため用途により使い分けて使用する。また、強化ダンボール材には、表面と裏面があり本考案では、この表面を意匠的に活かすための方法である。
【００１５】
Ｌ字アングルは、アルミ製等の軽量で一辺幅は強化ダンボール材の厚みより１ｍｍから２ｍｍほど広いものとする。また、Ｌ字アングルの材厚は厚すぎず且つ強度が確保できる厚さのものとする。
【実施例１】
【００１６】
本考案の実施例を図１、２を用いて具体的に説明する。
【００１７】
本考案は、強化ダンボール材（２）とＬ字アングル（１）の二つの部材により構成するものであり、強化ダンボール材（２）の紙巾方向（３）の厚みよりも少し広い幅の一辺を持つＬ字アングル（１）にて塞ぎ補強する。
【００１８】
強化ダンボール材（２）とＬ時アングル（１）の固定は両面テープや接着剤等で行うものとし、Ｌ字アングル（１）の二辺のうち紙巾方向（３）小口を塞いでいない一辺は、強化ダンボール材（２）の裏面に接着させ安定した補強とさせる。
【００１９】
また、強化ダンボール材（２）の表面からはＬ字アングル（１）の厚み分のみが見えるようにすることで、強化ダンボール材（２）の意匠的要素に関る表面からは、補強材であるＬ字アングル（１）の存在を最小限に抑えることができ、強化ダンボール材（２）の表面と流れ方向（４）の波状模様といった古紙リサイクルによる素材の表情を最大限に活かすことができ、強化ダンボールの化粧パネル（５）として活用可能性を広げることに結びつく。
【実施例２】
【００２０】
図２は、本考案の強化ダンボール材（２）とＬ字アングル（１）より構成される強化ダンボールの化粧パネル（５）を活用した一例で、折り畳み可能な手提げ袋である。この手提げ袋は、強化ダンボールの化粧パネル（５）二枚を、折り目をつけたクラフト紙等（６）の厚手の紙で袋状にし、持ち手（７）をつけたもので、財布や携帯電話、書類などさまざまなものを持ち運ぶことができる。また、強化ダンボール材（２）が両側面にあるため、強度としても十分である。その一方で、重量としては非常に軽く、使用しない場合は折り畳むことができるため軽快な使用が可能である。
【産業上の利用可能性】
【００２１】
強化ダンボールを耐衝撃用保護材としての運送用梱包材等の活用方法だけでなく、化粧パネル材として活用する事によりインテリア素材や文房具、ファッション関連グッズ等、多種多様な場面において強化ダンボールを活かした商品開発が可能となる。
【符号の説明】
【００２２】
（１）  Ｌ字アングル
（２）  強化ダンボール材表面
（３）  紙巾方向
（４）  流れ方向
（５）  化粧パネル
（６）  クラフト紙等
（７）  持ち手
【図１】
0003207333.tif 000003
【図２】
0003207333.tif 000004
【手続補正書】
【提出日】平成28年8月22日(2016.8.22)
【手続補正１】
【補正対象書類名】実用新案登録請求の範囲
【補正対象項目名】全文
【補正方法】変更
【補正の内容】
【実用新案登録請求の範囲】
【請求項１】
圧縮力に弱いダンボール材の紙巾方向小口をＬ字アングルで覆い補強することにより、多種多様な活用が可能となる小口補強を施したダンボール製の化粧パネル。
(57)【要約】      （修正有）【課題】簡単な構造により洗濯物を早く乾燥させ、動きと形がユニークで風による吊り鎖への引っ張り力が軽減できる物干しハンガーを提供する。【解決手段】複数の吊り鎖２に複数のハンガー用フレーム３を固定し、各フレームの接する部分に反発係数の高い弾性状物体４を固着することで各フレームが風の力でバウンドする構造にて構成されている。【選択図】図１
0003207381.tif 000002
【実用新案登録請求の範囲】
【請求項１】
洗濯物干しハンガーにおいて、上部鍵手より垂下した複数の吊り鎖に複数のハンガー用フレームを固定し、各フレームの接する部分に反発係数のある弾性状物体を固着することで各フレームが風の力でバウンドすることを特徴としたものである。
【考案の詳細な説明】
【技術分野】
【０００１】本考案は、洗濯物の乾燥効果を高めた物干しハンガーに関する。
【背景技術】
【０００２】物干しハンガーは風を受けると洗濯物が飛んだり、吊り鎖が切れてハンガーが損傷するなどの問題が多い。
【先行技術文献】
【０００３】このため、類似考案として実用新案登録第３００６２６４号が存在するがこれは本体フレームが風に対抗する形となり、吊り鎖にかかる負荷が大きく、吊り鎖の損傷のおそれが高い。
【考案の概要】
【考案が解決しようとする課題】
【０００４】このため、簡単な構造で柳のように風に逆らわないで、かつ乾燥効果の高いハンガーが求められていた。【０００５】本考案は、従来のこのような問題点に鑑みなされたもので、ピンチを装着した複数のフレームを吊り鎖で懸垂し、各フレームのぶつかり合う部分に反発係数の高いゴムを装着することでフレームが風でバウンドすることを目的とする。
【課題を解決するための手段】
【０００６】上記目的を達成するため請求項１記載の考案は、上部鍵手より垂下した複数の吊り鎖に複数のハンガー用フレームを固定し、各フレームの接する部分に反発係数のある弾性状物体を固着することで各フレームが風の力でバウンドする仕組みを備えて構成される。
【考案の効果】
【０００７】上記したように請求項１記載の本考案は、ハンガー用複数フレームが接点において風の力を受けてバウンドし、これにより洗濯物の乾燥が促進されるとともに、風の力による吊り鎖への引っ張り力が軽減しさせることが可能となる。
【考案を実施するための形態】
【０００８】以下、本考案に係るバウンドハンガーの一実施形態について、図面に基づいて説明する。図１は、本発明に係るバウンドハンガーの一実施形態を実施する斜視図である。
【実施例】
【０００９】図１において鍵手１の下部に複数の吊り鎖２が接続され、吊り鎖２の末端には複数のフレーム３が吊架されている。各フレーム３の下部には洗濯物をはさむ為のピンチ５も取り付けられている。
また、複数のフレーム３の互いに接する部分には反発係数のあるスーパーボールのようなゴム性の弾性状物体４が固着されている【００１０】この状態において、ピンチ５に洗濯物を挟み、鍵手１を洗濯竿に係止する。するとピンチ５にはさんだ洗濯物に風を受けた各フレーム３は鍵手１を頂点として複数の吊り鎖２につり下げられた状態で振り子運動を行うことになる。この時、各フレーム３は互いにぶつかり合うが、その接点において弾性状物体４があるため強い反発力によりフレームは小刻みな振り子運動を継続することになる。【００１１】以上の運動により吊り鎖２に余分な引っ張り力がかかることなくかつ洗濯物はリズミカルな振り子運動により多くの風を受けることで洗濯物の乾燥の度合いが加速される。
【産業上の利用可能性】
【００１２】フレームを角形にするほか丸形にしてフレーム外周に弾性状物体を塗布する等の実施例にすれば洗濯干しがユニークなオブジェや飾りになる可能性もある。
【図面の簡単な説明】
【００１３】
【図１】本発明に係るバウンドハンガー斜視図である。
【符号の説明】
【００１４】１  鍵手
２  吊り鎖
３  フレーム
４  弾性状物体
５  ピンチ
【図１】
0003207381.tif 000003
(57)【要約】      （修正有）【課題】楕円状の反射板を設け、特定方向への光の照射効率を高めることができるＬＥＤ投光器を提供する。【解決手段】ＬＥＤ投光器１に、平面の反射板２に加えて、楕円状の反射板３を設けることにより、特定の方向への光の照射効率を上げることに役立つ。【選択図】図１
0003207354.tif 000002
【実用新案登録請求の範囲】
【請求項１】
LED投光器の反射板として、平面の反射板に追加で、楕円状の反射板をLED光源の周囲２辺に設けることにより、平面の反射板のみより特定の方向への光の照射を効率よく行うことを特徴とするLED投光器。
【考案の詳細な説明】
【技術分野】
【０００１】
本考案は、効率よく光を照射できるような反射板を備えた、ＬＥＤ投光器に関するものである。
【考案の概要】
【考案が解決しようとする課題】
【０００２】
ＬＥＤ投光器において、反射板を設けることで効率よく特定の方向に光源の光を照射しようとするが、光源の周りに平面の反射板を設けるだけでは本来光を照射させたい方向以外に逃げる光が多くなってしまう。そこで、反射板の形状を工夫することで、本来照射させたい方向に、より効率よく光を反射させようとするものである。
【課題を解決するための手段】
【０００３】
本考案は、LED投光器の反射板として、平面の反射板以外に、楕円状の反射板を長方形の光源の周囲２辺に設けることで、本来光を照射させたい方向以外に逃げる光を削減させることにより、平面の反射板のみの投光器より効率よく光源の光を特定の方向に照射できるようにすることにより問題点を解決している。
【考案の効果】
【０００４】
上述の様に、従来の平面のみ反射板に加え、光源の周囲２辺に楕円状の反射板を設けることで、特定の方向への光の照射効率を１割程度上げることに役立つ。
【図面の簡単な説明】
【０００５】
【図１】本LED投光器の立体図である。
【図２】本LED投光器の正面図である。
【符号の説明】
【０００６】
１  LED投光器本体
２  平面反射板
３  楕円状反射板
４  LED光源
５  スタンド
【図１】
0003207354.tif 000003
【図２】
0003207354.tif 000004
【手続補正書】
【提出日】平成28年8月25日(2016.8.25)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ投光器の反射板として、長方形のＬＥＤ光源の４辺すべての周囲に平面の反射板を設置、加えて、平面の反射板の一部にかぶるかたちで長方形のＬＥＤ光源の長辺２辺に接する様に楕円状の反射板を設置することにより、平面の反射板のみより特定の方向への光の反射を効率よく行うことを特徴とするＬＥＤ投光器。